(57)【要約】【課題】使用者が工具を使用しないでゴールを直接に組付け又は分解でき、運搬と収納が便利になる。【解決手段】複数の下横方向チューブと、二つの下連結チューブと、二つの下縦方向チューブと、二つの転向チューブと、二つの立設チューブと、二つの上連結チューブと、複数の上横方向チューブと、二つの支持チューブと、一つの弾性ロープと、一つの網とから構成されたゴールの構造において、上記各チューブ部材が凹凸構造によって軸方向に脱着自在に嵌合し、且つ弾性ロープが上記各チューブ部材の内部を挿通し設けることを特徴とするゴールの構造。【選択図】  図１
0003111058.tif 000002
【実用新案登録請求の範囲】
【請求項１】
複数の下横方向チューブと、二つの下連結チューブと、二つの下縦方向チューブと、二つの転向チューブと、二つの立設チューブと、二つの上連結チューブと、複数の上横方向チューブと、二つの支持チューブと、一つの弾性ロープと、一つの網とから構成されたゴールの構造において、
前記下横方向チューブは、適当な長さを有し、下横方向チューブ同士が端部で互いに軸方向に脱着自在に係合し、
前記下連結チューブは、Ｌ字形を呈する中空なチューブであり、そのうちの一端が前記下横方向チューブの端部に軸方向に脱着自在に係合し、且つその上では結合孔が開設してあり、
前記下縦方向チューブは、適当な長さを有し、そのうちの一端が前記下連結チューブの他端に軸方向に脱着自在に係合し、下連結チューブにより下横方向チューブと下縦方向チューブが連接されて全体がコ字形を呈し、
前記転向チューブは、Ｌ字形を呈する中空なチューブであり、そのうちの一端が前記下縦方向チューブの他端に軸方向に脱着自在に係合し、
前記立設チューブは、適当な長さを有し、そのうちの一端が前記転向チューブの他端に軸方向に脱着自在に係合し、
前記上連結チューブは、Ｌ字形を呈する中空なチューブであり、そのうちの一端が前記立設チューブの他端に軸方向に脱着自在に係合し、その上では挿入孔が開設してあり、
前記上横方向チューブは、適当な長さを有し、上横方向チューブ同士が端部で互いに軸方向に脱着自在に係合し、且つ結合した上横方向チューブの両端が二つの上連結チューブの他端に軸方向に脱着自在に係合し、
前記支持チューブは、湾折状を呈し、両端がそれぞれ下連結チューブにある結合孔と、上連結チューブにある挿入孔とに軸方向に脱着自在に係合し、
前記弾性ロープは、下横方向チューブと、下連結チューブと、下縦方向チューブと、転向チューブと、立設チューブと、上連結チューブと、上横方向チューブとの内部に挿通し設けられ、その両端が互いに結合し、
前記網は、下横方向チューブと、下連結チューブと、下縦方向チューブと、転向チューブと、立設チューブと、上連結チューブと、上横方向チューブと、上横方向チューブと、支持チューブとに結合することを特徴とする、
ゴールの構造。
【請求項２】
前記支持チューブは、複数のサブ支持チューブ同士が端部で互いに軸方向に脱着自在に係合して構成され、その両端の内面には突起が設けてあり、弾性ロープが支持チューブの内部を挿通し、前記弾性ロープの端部が前記突起に固定することを特徴とする、請求項１に記載のゴールの構造。
【請求項３】
二つの前記下横方向チューブの間に一つ接続チューブを嵌合し接合した後、一つのスリーブで前記下横方向チューブと接続チューブをカバーすることを特徴とする、請求項１に記載のゴールの構造。
【請求項４】
二つの前記上横方向チューブの間に一つ接続チューブを嵌合し接合した後、一つのスリーブで前記上横方向チューブと接続チューブをカバーすることを特徴とする、請求項１に記載のゴールの構造。
【請求項５】
前記網の周縁には弾性帯が結合してあることを特徴とする、請求項１に記載のゴールの構造。
【考案の詳細な説明】
【技術分野】
【０００１】
本考案は、サッカーやハンドボールやホッケーなどのスポーツ用ゴールに係り、特に、使用者が工具を使用しないでゴールを直接に組付け又は分解でき、運搬と収納が便利になるゴールの構造に関するものである。
【背景技術】
【０００２】
目下、一般のゴールは複数のチューブを互いに嵌めて係合し又は溶接することにより結合して構成されたものであり、上記ゴールが運動場に固定される。
【考案の開示】
【考案が解決しようとする課題】
【０００３】
しかしながら、これは次のような欠点があった。
（１）ゴールが運動場に固定されるので、専門の作業者でないとゴールを組付けることができなく、取付けコストは高かった。
【０００４】
（２）ゴールが室外運動場に固定されると、ゴールは太陽に照られたり雨に降られたりするので、ゴールの使用寿命が短くなり、保全に油断すると、競技中にゴールが断裂して競技者に傷を与える可能性があった。
【０００５】
（３）ゴールが運動場に固定されるので、特定の場所だけで競技ができ、別の場所へ移動することが難しかった。
【０００６】
（４）ゴールが運動場に固定されるので、使用者が部屋の近所でボール類のスポーツをやることができなかった。
【０００７】
本考案の主な目的は、使用者が工具を使用しないでゴールを直接組付け又は分解でき、運搬と収納が便利になるゴールの構造を提供する。
【課題を解決するための手段】
【０００８】
上記目的を達成するためになされた本願の考案は、複数の下横方向チューブと、二つの下連結チューブと、二つの下縦方向チューブと、二つの転向チューブと、二つの立設チューブと、二つの上連結チューブと、複数の上横方向チューブと、二つの支持チューブと、一つの弾性ロープと、一つの網とから構成されたゴールの構造において、前記下横方向チューブは、適当な長さを有し、下横方向チューブ同士が端部で互いに軸方向に脱着自在に係合し、前記下連結チューブは、Ｌ字形を呈する中空なチューブであり、そのうちの一端が前記下横方向チューブの端部に軸方向に脱着自在に係合し、且つその上では結合孔が開設してあり、前記下縦方向チューブは、適当な長さを有し、そのうちの一端が前記下連結チューブの他端に軸方向に脱着自在に係合し、下連結チューブにより下横方向チューブと下縦方向チューブが連接されて全体がコ字形を呈し、前記転向チューブは、Ｌ字形を呈する中空なチューブであり、そのうちの一端が前記下縦方向チューブの他端に軸方向に脱着自在に係合し、前記立設チューブは、適当な長さを有し、そのうちの一端が前記転向チューブの他端に軸方向に脱着自在に係合し、前記上連結チューブは、Ｌ字形を呈する中空なチューブであり、そのうちの一端が前記立設チューブの他端に軸方向に脱着自在に係合し、その上では挿入孔が開設してあり、前記上横方向チューブは、適当な長さを有し、上横方向チューブ同士が端部で互いに軸方向に脱着自在に係合し、且つ結合した上横方向チューブの両端が二つの上連結チューブの他端に軸方向に脱着自在に係合し、前記支持チューブは、湾折状を呈し、両端がそれぞれ下連結チューブにある結合孔と、上連結チューブにある挿入孔とに軸方向に脱着自在に係合し、前記弾性ロープは、下横方向チューブと、下連結チューブと、下縦方向チューブと、転向チューブと、立設チューブと、上連結チューブと、上横方向チューブとの内部に挿通し設けられ、その両端が互いに結合し、前記網は、下横方向チューブと、下連結チューブと、下縦方向チューブと、転向チューブと、立設チューブと、上連結チューブと、上横方向チューブと、上横方向チューブと、支持チューブとに結合することを特徴とするゴールの構造であることを要旨としている。
【０００９】
本願の考案では、前記支持チューブは、複数のサブ支持チューブ同士が端部で互いに軸方向に脱着自在に係合して構成され、その両端の内面には突起が設けてあり、弾性ロープが支持チューブの内部を挿通し、前記弾性ロープの端部が前記突起に固定することを特徴とする請求項１に記載のゴールの構造であることを要旨としている。
【００１０】
本願の考案では、二つの前記下横方向チューブの間に一つ接続チューブを嵌合し接合した後、一つのスリーブで前記下横方向チューブと接続チューブをカバーすることを特徴とする請求項１に記載のゴールの構造であることを要旨としている。
【００１１】
本願の考案では、二つの前記上横方向チューブの間に一つ接続チューブを嵌合し接合した後、一つのスリーブで前記上横方向チューブと接続チューブをカバーすることを特徴とする請求項１に記載のゴールの構造であることを要旨としている。
【００１２】
本願の考案では、前記網の周縁には弾性帯が結合してあることを特徴とする請求項１に記載のゴールの構造であることを要旨としている。
【考案の効果】
【００１３】
本考案に係るゴールの構造によれば、使用者が工具を使用しないでゴールを直接に組付け又は分解でき、運搬と収納が便利になる。
【考案を実施するための最良の形態】
【００１４】
以下、添付図面を参照して本考案の好適な実施の形態を詳細に説明する。
【実施例１】
【００１５】
まず、図１乃至図３を参照する。本考案に係るゴールの構造は、二つの下横方向チューブ１０と、二つの下連結チューブ２０と、二つの下縦方向チューブ３０と、二つの転向チューブ４０と、二つの立設チューブ５０と、二つの上連結チューブ６０と、二つの上横方向チューブ７０と、二つの支持チューブ８０と、三本の弾性ロープ９０とから構成されたものである。
【００１６】
前記下横方向チューブ１０は、適当な長さを有し、下横方向チューブ１０同士が端部で互いに軸方向に脱着自在に係合する。
【００１７】
前記下連結チューブ２０は、Ｌ字形を呈する中空なチューブであり、そのうちの一端が前記下横方向チューブ１０の端部に軸方向に脱着自在に係合し、且つその上では結合孔２１が開設してある。
【００１８】
前記下縦方向チューブ３０は、適当な長さを有し、そのうちの一端が前記下連結チューブ２０の他端に軸方向に脱着自在に係合し、下連結チューブ２０により下横方向チューブ１０と下縦方向チューブ３０が連接されて全体がコ字形を呈する。
【００１９】
前記転向チューブ４０は、Ｌ字形を呈する中空なチューブであり、そのうちの一端が前記下縦方向チューブ３０の他端に軸方向に脱着自在に係合する。
【００２０】
前記立設チューブ５０は、適当な長さを有し、そのうちの一端が前記転向チューブ４０の他端に軸方向に脱着自在に係合する。
【００２１】
前記上連結チューブ６０は、Ｌ字形を呈する中空なチューブであり、そのうちの一端が前記立設チューブ５０の他端に軸方向に脱着自在に係合し、その上では挿入孔６１が開設してある。
【００２２】
前記上横方向チューブ７０は、適当な長さを有し、上横方向チューブ７０同士が端部で互いに軸方向に脱着自在に係合し、且つ結合した上横方向チューブ７０の両端が二つの上連結チューブ６０の他端に軸方向に脱着自在に係合する。
【００２３】
前記支持チューブ８０は、複数の湾折状のサブ支持チューブ８１で互いに嵌合して構成されるものであり、全体が湾折状を呈し、両端がそれぞれ下連結チューブ２０にある結合孔２１と、上連結チューブ６０にある挿入孔６１とに軸方向に脱着自在に係合し、且つ支持チューブ８０の両端の内面には突起８２がそれぞれ設けてある。
【００２４】
前記弾性ロープ９０は、そのうちの一本の弾性ロープ９０は、下横方向チューブ１０と、下連結チューブ２０と、下縦方向チューブ３０と、転向チューブ４０と、立設チューブ５０と、上連結チューブ６０と、上横方向チューブ７０との内部に挿通し設けられ、その両端が互いに結合し、また、他の二本の弾性ロープ９０は、支持チューブ８０の内部に挿通し設けられ、その端部が前記突起８２に固定する。
【００２５】
本実施例では、軸方向に脱着自在に係合する構造というのは、凹凸構造による係合構造である。
【００２６】
また、図１と図２と図４に示すように、本実施例では、下横方向チューブ１０と、下連結チューブ２０と、下縦方向チューブ３０と、転向チューブ４０と、立設チューブ５０と、上連結チューブ６０と、上横方向チューブ７０と、支持チューブ８０とは互いに凹凸構造によって嵌合するので、使用者が工具を使用しないでゴールを容易で快速に組付けることができ、且つ本考案に係るゴールは運動場に固定しないので、天候による使用寿命の短縮が防止できる。
【００２７】
また、下横方向チューブ１０と、下連結チューブ２０と、下縦方向チューブ３０と、転向チューブ４０と、立設チューブ５０と、上連結チューブ６０と、上横方向チューブ７０との内部には、一本の弾性ロープ９０が挿通し設けられ、且つ前記弾性ロープ９０の両端が互いに結合するので、上記部材が分解されてもばらばらにならない。
【００２８】
また、本実施例では、支持チューブ８０の内部に弾性ロープ９０が挿通し設けられ、その端部が前記突起８２に固定するので、支持チューブ８０の複数のサブ支持チューブ８１は分解されてもばらばらにならない。
【００２９】
使用者は上記の分解された各部材を互いに寄せて面ファスナー１００を巻くと、本考案に係るゴールを収納することができ、だから、使用者が工具を使用しないでゴールを容易で快速に分解することができ、運搬と収納が便利になる。
【００３０】
また、下横方向チューブ１０と、下連結チューブ２０と、下縦方向チューブ３０と、転向チューブ４０と、立設チューブ５０と、上連結チューブ６０と、上横方向チューブ７０との内部には、一本の弾性ロープ９０が挿通し設けられ、且つ前記弾性ロープ９０の両端が互いに結合するので、上記部材が分解されてもばらばらにならなく、これにより、使用者が必要に応じて取付け又は分解することが何回もできる。
【００３１】
また、本考案に係るゴールによれば、使用者が工具を使用しないでゴールを直接に組付け又は分解できるメリットがある。
【００３２】
図５は本考案に網を取付けた状態の概略図であり、網１１０の周縁に弾性帯１２０（図面に太い線で表示）が結合してある。網１１０と弾性帯１２０の結合方法は図６と図７に示す。
【００３３】
図６に示すように、網１１０の周縁に弾性帯１２０が編まれて結合し、  図７に示すように、網１１０の周縁に弾性帯１２０が縫われて結合する。
【実施例２】
【００３４】
図８に示すのは本考案に係る実施例２であって、実施例１と異なる点は、二つの前記下横方向チューブ１０の間に一つ接続チューブ１３０を嵌合し接合した後、一つのスリーブ１４０で前記下横方向チューブ１０と接続チューブ１３０をカバーし、且つ立設チューブ５０と転向チューブ４０を結合した後、一つのスリーブ１５０で前記立設チューブ５０と転向チューブ４０をカバーし、二つの前記上横方向チューブ７０の間に一つ接続チューブ１６０を嵌合し接合した後、一つのスリーブ１７０で前記上横方向チューブ７０と接続チューブ１６０をカバーし、なお、二つの六角形断面を持つサブ支持チューブ８１を一つの接続チューブ１８０によって連結して支持チューブ８０を構成した後、一つのスリーブ１９０で前記サブ支持チューブ８１と接続チューブ１８０をカバーし、下連結チューブ２０にある結合孔２１と、上連接チューブ６０にある挿入孔６１とは六角孔であり、支持チューブ８０の両端が結合孔２１と挿入孔６１とにそれぞれ挿入して定位する。また、実施例２では、各チューブ部材の内面の予定箇所では釘Ａが結合してあり、各弾性ロープが各釘Ａに固定する。
【図面の簡単な説明】
【００３５】
【図１】本考案の分解斜視図である。
【図２】本考案の一部の分解斜視図である。
【図３】本考案の一部の断面図である。
【図４】本考案の収納状態を示す概略図である。
【図５】本考案に網を取付けた状態の概略図である。
【図６】本考案と網の結合方法を示す概略図１である。
【図７】本考案と網の結合方法を示す概略図２である。
【図８】本考案に係る実施例２の分解斜視図である。
【符号の説明】
【００３６】
１０      下横方向チューブ            ２０      下連結チューブ
２１      結合孔                      ３０      下縦方向チューブ
４０      転向チューブ                ５０      立設チューブ
６０      上連接チューブ              ６１      挿入孔
７０      上横方向チューブ            ８０      支持チューブ
８１      サブ支持チューブ            ８２      突起
９０      弾性ロープ                  １００    面ファスナー
１１０    網                          １２０    弾性帯
１３０    接続チューブ                １４０    スリーブ
１５０    スリーブ                    １６０    接続チューブ
１７０    スリーブ                    １８０    接続チューブ
１９０    スリーブ                    Ａ        釘
【図１】
0003111058.tif 000003
【図２】
0003111058.tif 000004
【図３】
0003111058.tif 000005
【図４】
0003111058.tif 000006
【図５】
0003111058.tif 000007
【図６】
0003111058.tif 000008
【図７】
0003111058.tif 000009
【図８】
0003111058.tif 000010